(57)【要約】【課題】  簡単な構造で袋片を効率的に捕捉できる高性能で経済性に優れた除袋機を提供する。【解決手段】  破袋によりゴミ袋から取り出された各種のゴミ類１０を袋片１１と混在した状態で搬送するゴミ搬送ライン２０の上に無端ベース３０Ａを設ける。無端ベース３０Ａは、ゴミ搬送ライン２０と交差して張設されて周回駆動されると共に、ゴミ搬送ライン２０に対向する周回ライン下部３０ａでゴミ搬送ライン２０の上面に沿って横行移動する。無端ベース３０Ａの周回方向複数箇所においてベース表面から外側へ棒状キャッチャ３０Ｂが突出している。棒状キャッチャ３０Ｂは、前記無端ベース３０Ａが周回ライン下部３０ａでゴミ搬送ライン２０の上面に沿って横行移動するときにゴミ搬送ライン２０上の搬送物と干渉するように構成されており、ゴミ搬送ライン２０上を搬送方向に長く延びて搬送される袋片１１を横から高頻度で捕捉する。【選択図】  図１
2015016449.tif 000002
【特許請求の範囲】
【請求項１】
破袋によりゴミ袋から取り出された各種のゴミ類を袋片と混在した状態で搬送するゴミ搬送ラインの上に当該ラインと交差して張設されて周回駆動されると共に、ゴミ搬送ラインに対向する周回ライン下部でゴミ搬送ライン上面に沿って横行移動する無端ベースと、無端ベースの周回方向複数箇所においてベース表面から外側へ突出する棒体からなり、前記無端ベースが周回ライン下部でゴミ搬送ラインの上面に沿って横行移動するときにゴミ搬送ライン上の搬送物と干渉するように構成された複数本の棒状キャッチャとを具備する除袋機。
【請求項２】
請求項１に記載の除袋機において、無端ベースは搬送ライン上の両側のプーリ間に張設されており、袋片排出側のプーリに沿って無端ベースが周回し、且つ無端ベースから突出する棒状キャッチャが捕捉した袋片にゴミ類が引っ掛かっているとき、その袋片を衝突させる障害物が棒状キャッチャの周回路外側に設けられている除袋機。
【請求項３】
請求項２に記載の除袋機において、ゴミ搬送ラインの少なくとも袋片排出側に、外側へ向かって上方へ傾斜する傾斜板が設けられており、当該傾斜板は、前記袋片から分離したゴミ類をゴミ搬送ラインへ戻す回収板を兼ねる除袋機。
【請求項４】
請求項１〜３の何れかに記載の除袋機において、ゴミ搬送ラインの両側には、ゴミ類がライン外へ排除されるのを阻止するために、外側へ向かって上方へ傾斜する傾斜板が設けられている除袋機。
【請求項５】
請求項４に記載の除袋機において、袋片排出側の傾斜板は、袋片と共にゴミ搬送ラインから除去されるゴミ類を分離するためのガイド板を兼ね、無端ベースの周回ラインは、袋片排出側では当該ガイド板の傾斜に沿った傾斜部とされている除袋機。
【請求項６】
請求項１〜５の何れかに記載の除袋機において、棒状キャッチャは無端ベースの幅方向で複数列に設けられている除袋機。
【請求項７】
請求項１〜６の何れかに記載の除袋機において、棒状キャッチャはバネ作用を有する除袋機。
【請求項８】
請求項７に記載の除袋機において、棒状キャッチャ自体が弾性体からなるか、無端ベースの周回駆動に伴う移動方向の少なくとも下流側へ弾性的に傾倒可能とされるか、両者が組み合わされた構造である除袋機。
【発明の詳細な説明】
【技術分野】
【０００１】
本発明は、各種のゴミ類を収納するゴミ袋が回収され破袋されて袋内のゴミ類を取り出した後に、ゴミ類中に混じって残る袋片をゴミ類から分離回収する除袋機に関する。
【背景技術】
【０００２】
一般家庭や事業所、公共施設などから排出される大量の袋詰めゴミは、効率良く処理するため、まずゴミ袋を破袋して袋内の各種のゴミ類を取り出した後、各種のゴミ類を種類別に選別する。その際、ゴミ袋から取り出された各種のゴミ類に混じって存在するゴミ袋の破片、すなわち袋片をゴミ類中から分離回収することが、ゴミ類の選別に先立って行われる。このゴミ類中からの袋片の分離回収が「除袋」と呼ばれる工程であり、これに使用される機器が「除袋機」である。
【０００３】
この除袋機については様々な形式のものが考えられており、そのなかで実用化されているものの一つは特許文献１に示された掻き揚げ式である。この除袋機は、破袋機下流側のゴミ搬送ライン上に回転中心軸をラインと直角な水平にして配置された回転体を備えている。回転体は、回転方向に等間隔で設けられた回転中心軸に平行な複数のシャフトを有しており、各シャフトには複数の掻き揚げ爪がシャフト軸方向に並列的に取付けられている。各シャフトに取付けられた複数の掻き揚げ爪は、回転体の回転に伴って搬送ラインに向けて下降し、搬送ラインに最接近した後は上昇して元の位置に戻る。このとき、複数の掻き揚げ爪は、カム機構により下方の搬送ラインに接近したときに起立突出してこの状態で最上部まで移動し、最上部から搬送ラインに接近する回転方向後方で傾倒退避する。
【０００４】
この動作により、各シャフトに並列的に取付けられた複数の掻き揚げ爪は、搬送ライン直上を通過するときに、搬送ライン上の袋片を選択的に引っ掛け、回転方向後方で袋片を離脱させる。各掻き揚げ爪から離脱した袋片は、送風機による風圧によりダクトを通って搬送ライン側方へ排出される。
【０００５】
特許文献１に示された除袋機の問題点は、第１に、搬送ラインをゴミ類と共に搬送される袋体の捕捉率が高くないことである。すなわち、搬送ライン上の袋体は、搬送方向に長く延びた状態で搬送される。一方、袋体を引っ掛ける掻き揚げ爪は、搬送方向に直角な水平方向に並列しているとはいえ、その動作は搬送方向と平行な方向で、袋体が長く延びた方向と同じ方向であるため、必然的に袋体を捕捉する確率が低くなるのである。
【０００６】
掻き揚げ爪の並列数を増やすことにより、捕捉率は高くなるが、構造が複雑化し、これが第２の問題点になる。すなわち、この種の除袋機では、搬送ライン上で捕捉した袋片をライン側方へ排除する必要があるが、特許文献１に示された掻き揚げ式の除袋機では、捕捉のための動作方向、すなわち搬送ライン上での掻き揚げ爪の動作方向と、捕捉した袋片の排除方向とが異なるため、本質的に構造が複雑である。加えて、掻き揚げ爪が可動式であることも、除袋機の構造を複雑化する一因になっている。これらのため、掻き揚げ爪の増設による更なる構造の複雑化は、製造コスト、メンテナンス性等の面で非常に大きな問題となる。
【先行技術文献】
【特許文献】
【０００７】
【特許文献１】特開２０１１−１１５７８６号公報
【発明の概要】
【発明が解決しようとする課題】
【０００８】
本発明の目的は、簡単な構造で袋片を効率的に捕捉できる高性能で経済性に優れた除袋機を提供することにある。
【課題を解決するための手段】
【０００９】
上記目的を達成するために、本発明の除袋機は、破袋によりゴミ袋から取り出された各種のゴミ類を袋片と混在した状態で搬送するゴミ搬送ラインの上に当該ラインと交差して張設されて周回駆動されると共に、ゴミ搬送ラインに対向する周回ライン下部でゴミ搬送ライン上面に沿って横行移動する無端ベースと、無端ベースの周回方向複数箇所においてベース表面から外側へ突出する棒体からなり、前記無端ベースが周回ライン下部でゴミ搬送ラインの上面に沿って横行移動するときにゴミ搬送ライン上の搬送物と干渉するように構成された複数本の棒状キャッチャとを具備している。
【００１０】
本発明の除袋機においては、ゴミ搬送ライン上に当該ラインと交差、好ましくは直交して張設された無端ベースが周回駆動されることにより、無端ベースから突出する棒状キャッチャが、周回ライン下部でゴミ搬送ライン上を横行移動する。これにより、棒状キャッチャがゴミ搬送ライン上の搬送物を搬送方向と交差する方向に掻き分けて移動する。このとき、棒状キャッチャは、その形状ゆえに、ゴミ搬送ライン上の各種容器等のゴミ類と衝突しても、これを搬送ライン外へ排除することはない。ゴミ類に混じる袋体と衝突したときにのみ、これを引っ掛けてゴミ搬送ライン外へ排除する。
【００１１】
棒状キャッチャは、袋体を引っ掛ける捕捉動作が搬送ラインと交差した方向であるので、搬送ラインを縦に長く延びて搬送される袋片を横から引っ掛け捕捉することになる。このため、袋片の捕捉率が本質的に高い。また、捕捉した袋片をライン外へ排除する方向が、ラインと交差した方向であるので、捕捉動作の方向と捕捉した袋片の排除方向とが一致し、除袋機の構造が本質的に簡単となる。また、棒状キャッチャを可動式とする必要がないので、この点からも構造が簡単となる。
【００１２】
かくして、本発明の除袋機は、簡単な構造で袋片を効率的に捕捉することが可能となる。
【００１３】
本発明の除袋機における棒状キャッチャは、バネ作用を有するものが好ましい。具体的には、棒状キャッチャ自体が弾性体からなるか、無端ベースの周回駆動に伴う移動方向の少なくとも上流側へ弾性的に傾倒可能とされるか、両者が組み合わされた構造が好ましい。この構造によると、棒状キャッチャはゴミ搬送ライン上で重量物等と衝突したときに移動方向上流側へ変位することにより、自身の破損を防止できる。
【００１４】
ゴミ搬送ラインの両側は、ゴミ類がライン外へ排除されるのを阻止するために、外側へ向かって上方へ傾斜する傾斜板とするのがよい。このとき、袋片排出側の傾斜板は、袋片に絡みつくゴミ類を分離するためのガイド板として機能させることができる。このために、無端ベースの周回ラインも袋片排出側ではガイド板の傾斜に沿った傾斜部とする。これにより、無端ベースから突出する棒状キャッチャは、無端ベースが傾斜部を移動するときにも、傾斜したガイド板上で袋片を引っ掛けて移動することにより、袋片に絡まったゴミ類の分離を図ることができる。
【００１５】
無端ベースは搬送ライン上の両側のプーリ間に張設される。袋片排出側のプーリに沿って無端ベースが周回するとき、その無端ベースの周速度は一定であるが、無端ベースから突出する棒状キャッチャは先端に向かうほど周速度が速くなり、その先端部に袋片を引っ掛けている場合、袋片が高速旋回する。このため、その袋片にゴミ類が絡みついている場合、そのゴミ類が高速で振り回されることになり、その袋片を衝突させる障害物を棒状キャッチャの周回路外側に設けておくことにより、袋片に絡みついているゴミ類が遠心力を利用して袋片から効果的に分離され得る。
【００１６】
ゴミ搬送ライン上から棒状キャッチャにより捕捉された袋片は、無端ベース周回ラインの上部を経由して、ゴミ搬送ラインの反排出側で棒状キャッチャから離脱し、袋片を離脱させた棒状キャッチャが再度、ゴミ搬送ライン上に進入する。
【００１７】
無端ベースの周回方向位置に設けられた複数本の棒状キャッチャが次々とゴミ搬送ライン上を横行移動することにより、ゴミ搬送ライン上の袋片が効率的に選択除去される。
【００１８】
袋片の捕捉効率を高めるために、棒状キャッチャは無端ベースの幅方向で複数列に設けるのがよく、各列間では周回方向に変位して設けるのがよい。
【発明の効果】
【００１９】
本発明の除袋機は、ゴミ搬送ライン上に当該ラインと交差して無端ベースを配置し、当該無端ベースの周回方向複数箇所に取付けた棒状キャッチャをゴミ搬送ライン上の搬送物と干渉するように構成することにより、ゴミ搬送ライン上を棒状キャッチャが搬送方向を横切るように次々と横行移動する。このため、ゴミ搬送ライン上の搬送物中から袋片を効率的に選択除去することができる。また、ゴミ搬送ライン上から袋片を排除する方向と排除した袋片をゴミ搬送ライン外へ排出する方向とが同じであると共に、棒状キャッチャは無端ベースの周回に追従して移動するだけで、格別の駆動機構を用いないので、除袋機全体としての構造が簡単である。
【００２０】
したがって、本発明の除袋機は高性能でありながら、製造コスト等の経済面で非常に優れる。
【図面の簡単な説明】
【００２１】
【図１】本発明の一実施形態を示す除袋機の正面図である。
【図２】同除袋機の無端ベースの側面図である。
【発明を実施するための形態】
【００２２】
以下に本発明の実施形態を図面に基づいて説明する。
【００２３】
本実施形態の除袋機は、図１及び図２に示すように、破袋機から排出される各種のゴミ類１０を袋片１１と混在した状態で水平方向へ搬送するゴミ搬送ライン２０と、ゴミ搬送ライン２０の上に除袋方向がゴミ搬送ライン１０の搬送方向と直交するように組み合わされた除袋機本体３０と、除袋機本体３０を覆うカバー４０とを具備している。ゴミ搬送ライン２０は、破袋によりゴミ袋から取り出された各種のゴミ類１０を袋片１１と混在した状態で水平方向へ直線的に搬送するベルトコンベアであり、搬送方向に張設された無端の搬送ベルト２１の上段部の移動によりその搬送を行う。搬送ベルト２１の上段部は複数のローラ２５により支持されている。
【００２４】
ゴミ搬送ライン２０の両側には、側方に向かって上方へ傾斜する傾斜板２２，２３が設けられている。ゴミ搬送ライン２０上での除袋機本体３０による除袋方向入側に位置する傾斜板２２は、ゴミ搬送ライン２０上の搬送物がライン外へ落下するのを防止するガードである。除袋機本体３０による除袋方向出側に位置する傾斜板２３は、ゴミ搬送ライン２０上の搬送物がライン外へ落下するのを防止するガードであると同時に、除袋方向出側へ除去される袋片１１を除袋方向である斜め上方へ案内するガイド板であり、その除袋方向である斜め上方へ長く延びている。
【００２５】
除袋機本体３０は、ゴミ搬送ライン１０上に直交して配置された無端ベース３０Ａと、無端ベース３０Ａの周回方向複数箇所において外側へ突出する複数本の棒状キャッチャ３０Ｂとを具備している。無端ベース３０Ａは、ここではゴムベルトからなり、内側のフレーム３１の両側部に取付けられた一対のプーリ３２ａ，３２ｂ間に張設されている。一方のプーリ３２ａはフリーローラである。他方のプーリ３２ｂは駆動ローラであり、その内側でフレーム３１に支持されたモータ３３にて回転駆動されることにより無端ベース３０Ａを周回駆動する。無端ベース３０Ａの周回ラインは、フレーム３１に支持された複数の支持ローラ３４により側面から見て戦車の履帯と呼ばれる無限軌道の如く形成されており、具体的には次のとおりである。
【００２６】
周回ライン下部３０ａは、ゴミ搬送ライン２０に上方から対向する水平部であり、その方向はゴミ搬送ライン２０における搬送方向に直角なライン幅方向である。周回ライン下部３０ａの下流側は上昇傾斜部３０ｂであり、ゴミ搬送ライン２０のガード板及びガイド板を兼ねる傾斜板２３に沿って傾斜している。上昇傾斜部３０ｂの下流側は駆動側のプーリ３２ｂに沿った円弧部３０ｃである。非駆動側のプーリ３２ａに至る周回ライン上部３０ｄは、中央部に向かう緩やかな上昇傾斜部と中央部から非駆動側のプーリ３２ａに向かう緩やかな下降傾斜部とからなり、その下流側は非駆動側のプーリ３２ａに沿った円弧部３０ｅである。そして、円弧部３０ｅの下流側は、最初の周回ライン下部３０ａに至る下降傾斜部３０ｆであり、上流側の傾斜板２２に平行である。
【００２７】
無端ベース３０Ａを構成するゴムベルトは、周回方向に複数分割（ここでは６分割）したものを連結することより構成されている。各連結部３５はゴムベルトの端部同士を２枚の平板により挟んで２枚の平板をベルト幅方向の複数箇所でボルト止めした構成になっている。
【００２８】
棒状キャッチャ３０Ｂは、コイルスプリングの材料である比較的太い鋼線からなり、直線部３６ａの基端側にコイル部３６ｂを有しており、そのコイル部３６ｂを連結部３５の中央部より側方に変位した位置に取り付けることにより、直線部３６ａは無端ベース３０Ａから外側へ直角に突出している。コイル部３６ｂの巻き中心は、無端ベース３０Ａの幅方向に一致している。これにより、棒状キャッチャ３０Ｂの直線部３６ａは、それ自体が可撓性、弾力性を有すると共に、基端側のコイル部３６ｂの存在により、無端ベース３０Ａの特に周回方向において優れた可撓性、弾力性を有することになる。
【００２９】
棒状キャッチャ３０Ｂの取付け位置は、連結部３５の中央部より側方に変位しており、より具体的には、周回方向において交互に異なる方向に変位することにより、いわゆる千鳥状とされている。
【００３０】
棒状キャッチャ３０Ｂの突出長は、ゴミ搬送ライン２０から無端ベース３０Ａの周回ライン下部３０ａまでの空間高に対応しており、より具体的には、無端ベース３０Ａが周回ライン下部３０ａを移動するときに、その無端ベース３０Ａから下方に突出する棒状キャッチャ３０Ｂの先端が、ゴミ搬送ライン２０における搬送ベルト２１の上段部表面直近を通過するように設定されている。
【００３１】
除袋機本体３０を覆うカバー４０は、除袋機本体３０の上半部を覆っており、具体的には棒状キャッチャ３０Ｂの周回ラインにおける円弧部３０ｃを覆う垂直部４１とこれに続く傾斜部４２、周回ライン上部３０ｄを覆う水平部４３、円弧部３０ｅを覆う傾斜部４４とこれに続く垂直部４５とからなり、いずれも無端ベース３０Ａの周回駆動に伴う棒状キャッチャ３０Ｂの周回移動を妨害しないように、棒状キャッチャ３０Ｂの突出長より大きい空間高を、無端ベース３０Ａの周回ラインとの間に確保する構成となっている。
【００３２】
このカバー４０は又、ゴミ搬送ライン２０上から棒状キャッチャ３０Ｂにより捕捉された袋片１１のガイド板を兼ねており、ゴミ搬送ライン２０上で捕捉した袋片１１をゴミ搬送ライン２０上における除袋方向下流側から除袋機本体３０の上方を経由してゴミ搬送ライン２０上における除袋方向上流側まで案内し、その除袋方向上流側に設置された回収ボックス５０に投入するように構成されている。
【００３３】
このカバー４０で重要なのは、ゴミ搬送ライン２０上における除袋方向下流側に配置された垂直部４１である。垂直部４１の下端は、無端ベース３０Ａの周回ライン円弧部３０ｃの中心と同程度のレベルにあり、円弧部３０ｃからの距離は、棒状キャッチャ３０Ｂの突出長より僅かに大きく設定されている。これにより、円弧部３０の周囲を周回移動する棒状キャッチャ３０Ｂに袋片１１が捕捉され、且つその袋片１１にゴミ類１０が絡みついている場合、ゴミ類１０は遠心力により垂直部４１の外側に向かい、袋片１１は垂直部４１に下方から激しく衝突する。これにより、袋片１１に絡みついているゴミ類１０は袋片１１から引き剥がされる。
【００３４】
すなわち、垂直部４１は、ゴミ搬送ライン２０上から除去された袋片１１にゴミ類１０が残る場合、その袋片１１が衝突する障害物であり、その袋片１１に残るゴミ類１０を分離する分離板を兼ねている。
【００３５】
袋片１１から引き剥がされたゴミ類１０は、傾斜板２３に沿ってゴミ搬送ライン２０に戻る。傾斜板２３の下流側端部（上端部）には、袋片１１から引き剥がされたゴミ類１０の逸散を防止するために、垂直な立ち上げ部２４が連結されている。袋片１１からのゴミ類１０の分離を阻害しないために、垂直な立ち上げ部２４は、その内側のカバー４０の垂直部４１から若干離れたところに位置している。
【００３６】
以上が本実施形態の除袋機の構成である。以下はその除袋機の機能である。
【００３７】
破袋機から排出される各種のゴミ類１０、すなわち破袋によりゴミ袋から取り出された各種のゴミ類１０が、ゴミ搬送ライン２０により、袋片１１と混在した状態で水平方向へ直線的に搬送され、その搬送の途中に除袋機本体３０の下を通過する。
【００３８】
このとき、除袋機本体３０においては、無端ベース３０Ａが、駆動側のプーリ３２ｂの回転駆動により周回駆動される。ここで、無端ベース３０Ａの周回ラインは、ゴミ搬送ライン２０と直交している。その結果、無端ベース３０Ａの周回ライン下部３０ａでは、無端ベース３０Ａに取付けられた複数本の棒状キャッチャ３０Ｂが、図１中にＸ１ 〜Ｘ４ に示すように、ゴミ搬送ライン２０上をかすめるようにしてゴミ搬送ライン２０と直角な水平方向へ次々と移動する。棒状キャッチャ３０Ｂの移動速度は例えば７０〜１０５ｍ／ｍｉｎである。
【００３９】
このとき、ゴミ搬送ライン２０上をゴミ類１０と共に搬送される袋片１１は、ゴミ搬送ライン２０によるゴミ搬送方向に平行な方向に長く延びた状態になっている。このため、その袋片１１は、ゴミ搬送ライン２０上をゴミ搬送ライン２０と直角な水平方向へ次々と移動する棒状キャッチャ３０Ｂにより横から引っ掛けられ、その結果、棒状キャッチャ３０Ｂにより高い確率で捕捉される。
【００４０】
このように、本実施形態の除袋機では、ゴミ搬送ライン２０の方向と直角な水平方向に除袋が行われるので、除袋効率が高い。また、ゴミ搬送ライン２０上から捕捉除去された袋片１１のライン外への排出も容易である。
【００４１】
すなわち、棒状キャッチャ３０Ｂにより捕捉された袋片１１は、棒状キャッチャ３０Ｂが無端ベース３０Ａと共に、周回ラインの上昇傾斜部３０ｂ、円弧部３０ｃ、上部３０ｄ、及び円弧部３０ｅを順に周回することに伴って、ゴミ搬送ライン２０の除袋方向出側から、除袋機本体３０上のカバー４０内を通過し、ゴミ搬送ライン２０の除袋方向入側へ回って棒状キャッチャ３０Ｂから解放され、除袋方向出側の回収ボックス５０内に回収される。
【００４２】
このような除袋がゴミ搬送ライン２０上で連続的に行われるので、ゴミ搬送ライン２０上での袋片１１の選別に要する人手を大幅に減らすことができる。
【００４３】
ゴミ搬送ライン２０上の搬送物の中にガラス瓶のような硬く重たい異物が混入していた場合、棒状キャッチャ３０Ｂはこれに衝突するが、直線部３６ａはもとより、基部のコイル部３６ｂにより、無端ベース３０Ａの周回方向において優れた可撓性、弾力性を示すので、棒状キャッチャ３０Ｂが破損する危険はない。
【００４４】
棒状キャッチャ３０Ｂが捕捉した袋片１１と共にゴミ類１０が除袋排出側へ排出されたとき、多くの場合は、その棒状キャッチャ３０Ｂが除袋排出側の傾斜板２３に沿って斜め上方へ移動する過程で袋片１１から離れ、傾斜板２３上を転動、滑動してゴミ搬送ライン２０上に戻る。
【００４５】
棒状キャッチャ３０Ｂが捕捉した袋片１１にゴミ類１０が強く絡まり付き、棒状キャッチャ３０Ｂが除袋排出側の傾斜板２３に沿って斜め上方へ移動する過程で袋片１１からゴミ類１０が分離しなかった場合は、その棒状キャッチャ３０Ｂは、除袋方向出側の円弧部３０ｃの周囲をＹ１ 〜Ｙ３ と周回し、そのときの周速度は先端ほど速くなる。このため、そのゴミ類１０は高速で周回し、且つ大きな遠心力を受ける。その結果、Ｚ１ 〜Ｚ３ に示すように、重量のあるゴミ類１０が袋片１１によって振り回されるような円運動をすることになり、カバー４０の袋片入側端にあって袋片１１の障害物、ゴミ類１０の分離板を兼ねる垂直部４１の下端に激しく衝突する。
【００４６】
このとき、ゴミ類１０は垂直部４１の外側に位置しており、垂直部４１との衝突による衝撃で袋片１１から分離し、袋片１１のみが除袋機本体３０上のカバー４０内を通過して除袋方向出側の回収ボックス５０内に投入される。
【００４７】
袋片１１から分離したゴミ類１０は、除袋方向出側の傾斜板２３に案内されてゴミ搬送ライン２０上に戻る。
【００４８】
その結果、棒状キャッチャ３０Ｂにて捕捉された袋片１１にゴミ類１０が絡みついている場合にも、袋片１１のみが回収される。
【符号の説明】
【００４９】
１０  ゴミ類
１１  袋片
２０  ゴミ搬送ライン
２１  搬送ベルト
２２，２３  傾斜板
２４  立ち上げ部
３０  除袋機本体
３０Ａ  無端ベース
３０Ｂ  棒状キャッチャ
３１  フレーム
３２ａ，３２ｂ  プーリ
３３  モータ
３４  支持ローラ
３５  連結部
３６ａ  直線部
３６ｂ  コイル部
４０  カバー
４１  ゴミ搬送ライン２０上の除袋方向下流側に位置する垂直部（分離板、障害物）
４２，４４  傾斜部
４３  水平部
４５  ゴミ搬送ライン２０上の除袋方向上流側に位置する垂直部
５０  回収ボックス
【図１】
2015016449.tif 000003
【図２】
2015016449.tif 000004